(57)【要約】【課題】この発明は、デジタル記録媒体が接続される状況にあって、接続されたデジタル記録媒体における情報記録の信頼性を向上させることを可能とし、十分に実用に適するようにした情報記録装置及び情報記録方法を提供することを目的としている。【解決手段】生成されたコンテンツを記録手段（１３）に記録しながら、その記録したコンテンツを記録手段（１３）から記録媒体（１２）に記録させる。この場合、記録手段（１３）からコンテンツを記録媒体（１２）に記録中に、記録媒体（１２）にコンテンツを記録し続けることができなくなるようなエラーが発生したとき、コンテンツの記録媒体（１２）への記録を中断して、コンテンツの記録手段（１３）への記録のみを継続させる。また、コンテンツの記録媒体（１２）への記録が完了した状態で、そのコンテンツを記録手段（１３）から削除する。【選択図】    図１
2009134829.tif 000002
【特許請求の範囲】
【請求項１】
記録するコンテンツを生成する生成手段と、
前記生成手段で生成されたコンテンツを記録可能な記録手段と、
前記生成手段で生成されたコンテンツを前記記録手段に記録し、その記録したコンテンツを前記記録手段から記録媒体に記録させる制御手段とを具備し、
前記制御手段は、
前記記録手段からコンテンツを前記記録媒体に記録中に、前記記録媒体に前記コンテンツを記録し続けることができなくなるようなエラーが発生した場合、前記コンテンツの前記記録媒体への記録を中断して、前記生成手段で生成されたコンテンツの前記記録手段への記録を継続させ、
前記コンテンツの前記記録媒体への記録が完了した状態で、そのコンテンツを前記記録手段から削除することを特徴とする情報記録装置。
【請求項２】
前記制御手段は、前記コンテンツの前記記録媒体への記録が完了した時点で、そのコンテンツが前記記録手段から再生されている場合にはそのコンテンツを前記記録手段から削除せず、そのコンテンツの前記記録手段からの再生が終了したときそのコンテンツを前記記録手段から削除することを特徴とする請求項１記載の情報記録装置。
【請求項３】
前記制御手段は、前記記録手段から再生されたコンテンツの前記記録媒体への記録が完了するまでは、そのコンテンツの前記記録媒体からの再生を禁止し、前記記録手段からの再生だけを可能とすることを特徴とする請求項１記載の情報記録装置。
【請求項４】
前記制御手段は、前記記録手段から再生されたコンテンツの前記記録媒体への記録が完了した状態で、そのコンテンツの前記記録手段からの再生を禁止し、前記記録媒体からの再生だけを可能とすることを特徴とする請求項１記載の情報記録装置。
【請求項５】
前記制御手段は、コンテンツ毎に暗号鍵を分ける場合、
前記生成手段で生成されたコンテンツの前記記録手段への記録時には、前記記録手段に対する暗号鍵を有効にし、
前記コンテンツの前記記録媒体への記録完了時には、前記記録手段に対する暗号鍵を無効にするとともに、前記記録媒体に対する暗号鍵を有効にすることを特徴とする請求項１記載の情報記録装置。
【請求項６】
前記制御手段は、前記記録手段と前記記録媒体とで暗号鍵を分ける場合、
前記生成手段で生成されたコンテンツの前記記録手段への記録時には、前記記録媒体に対する暗号鍵を用いて記録するとともに、前記記録手段からコンテンツの前記記録媒体への記録中に、そのコンテンツを前記記録手段から再生する場合には、前記記録媒体に対する暗号鍵を用いて再生し、前記記録手段からコンテンツを前記記録媒体に記録中に、前記記録媒体に前記コンテンツを記録し続けることができなくなるようなエラーが発生し、前記コンテンツの前記記録媒体への記録を中断した場合には、前記コンテンツを前記記録媒体に対する暗号鍵を用いて復号化するとともに、前記記録手段に対する暗号鍵を用いて暗号化することを特徴とする請求項１記載の情報記録装置。
【請求項７】
前記記録媒体におけるコンテンツの記録状況を示すために、前記生成手段で生成され前記記録手段に記録しているコンテンツと、前記記録手段への記録が終了してから、前記記録媒体に記録され、前記記録手段から削除されるまでの期間にあるコンテンツとを分けて表示する表示手段を具備することを特徴とする請求項１記載の情報記録装置。
【請求項８】
記録するコンテンツを生成する第１の工程と、
前記第１の工程で生成されたコンテンツを記録手段に記録し、その記録したコンテンツを前記記録手段から記録媒体に記録させる第２の工程とを具備し、
前記第２の工程では、
前記記録手段からコンテンツを前記記録媒体に記録中に、前記記録媒体に前記コンテンツを記録し続けることができなくなるようなエラーが発生した場合、前記コンテンツの前記記録媒体への記録を中断して、前記第１の工程で生成されたコンテンツの前記記録手段への記録を継続させ、
前記コンテンツの前記記録媒体への記録が完了した状態で、そのコンテンツを前記記録手段から削除することを特徴とする情報記録方法。
【発明の詳細な説明】
【技術分野】
【０００１】
この発明は、デジタル記録媒体に対して情報記録を行なわせる情報記録装置及び情報記録方法に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（hard disk drive）等のような大容量のデジタル記録機器を外部に接続して、受信した番組をデジタル記録させたり、記録した番組を再生させたりすることが可能となっている。
【０００４】
ところで、このように、デジタル記録機器を外部に接続して制御可能としたデジタル放送受信装置にあって、特に肝要なことは、性能や機能等の異なる不特定多数のデジタル記録機器が選択的に接続される状況において、信頼性の高い情報記録を行なえるようにすることである。
【０００５】
特許文献１には、監視カメラからの画像データをハードディスクに記録するデータパスを維持したまま、ハードディスクに記録された画像データをリムーバブルディスクにコピーするデータパスを確保することにより、リムーバブルディスクの交換中も途切れることなく画像データの記録を行なえるようにすることが開示されている。
【特許文献１】特開２００６−１０９４８９号公報
【発明の開示】
【発明が解決しようとする課題】
【０００６】
そこで、この発明は上記事情を考慮してなされたもので、デジタル記録媒体が接続される状況にあって、接続されたデジタル記録媒体における情報記録の信頼性を向上させることを可能とし、十分に実用に適するようにした情報記録装置及び情報記録方法を提供することを目的とする。
【課題を解決するための手段】
【０００７】
この発明に係る情報記録装置は、記録するコンテンツを生成する生成手段と、生成手段で生成されたコンテンツを記録可能な記録手段と、生成手段で生成されたコンテンツを記録手段に記録し、その記録したコンテンツを記録手段から記録媒体に記録させる制御手段とを備え、制御手段は、記録手段からコンテンツを記録媒体に記録中に、記録媒体にコンテンツを記録し続けることができなくなるようなエラーが発生した場合、コンテンツの記録媒体への記録を中断して、生成手段で生成されたコンテンツの記録手段への記録を継続させ、コンテンツの記録媒体への記録が完了した状態で、そのコンテンツを記録手段から削除するようにしている。
【０００８】
また、この発明に係る情報記録方法は、記録するコンテンツを生成する第１の工程と、第１の工程で生成されたコンテンツを記録手段に記録し、その記録したコンテンツを記録手段から記録媒体に記録させる第２の工程とを備え、第２の工程では、記録手段からコンテンツを記録媒体に記録中に、記録媒体にコンテンツを記録し続けることができなくなるようなエラーが発生した場合、コンテンツの記録媒体への記録を中断して、第１の工程で生成されたコンテンツの記録手段への記録を継続させ、コンテンツの記録媒体への記録が完了した状態で、そのコンテンツを記録手段から削除するようにしている。
【発明の効果】
【０００９】
上記した発明によれば、生成されたコンテンツを記録手段に記録し、その記録したコンテンツを記録手段から記録媒体に記録させるようにしたので、デジタル記録媒体が接続される状況にあって、接続されたデジタル記録媒体における情報記録の信頼性を向上させることが可能となり、十分に実用に適するものとなる。
【発明を実施するための最良の形態】
【００１０】
以下、この発明の実施の形態について図面を参照して詳細に説明する。図１は、この実施の形態で説明する情報記録システムの概略を示している。この情報記録システムは、情報出力装置としてのデジタル放送受信装置１１と、外付け記録媒体としてのＨＤＤ１２とを、通信ケーブル５０によりデータ伝送可能に接続したものである。
【００１１】
この場合、ＨＤＤ１２としては、例えば、ＵＳＢ（universal serial bus）規格に準拠したデジタルインターフェースを介して接続されるような外付けＨＤＤを想定している。ＨＤＤ１２は、通信ケーブル５０とのインターフェース機能を有するコントローラ１２ａを備え、これによってデジタル放送受信装置１１とのデータ伝送が可能となっている。なお、デジタル放送受信装置１１とＨＤＤ１２との間でデータ伝送を行なうためのデジタルインターフェースとしては、ＵＳＢに限らず、例えば、ＨＤＭＩ（high definition multimedia interface）、ＬＡＮ（local area network）、ｅＳＡＴＡ等、デジタル放送受信装置１１とＨＤＤ１２との関係に応じて種々のものを使用することができる。また、デジタル放送受信装置１１とＨＤＤ１２との間におけるデータ伝送は、無線によるデジタルインターフェースを用いて行なうことも可能である。
【００１２】
そして、デジタル放送受信装置１１がＨＤＤ１２を制御することにより、デジタル放送受信装置１１で受信した番組コンテンツ（ストリーム）を、ＨＤＤ１２にデジタル記録させることができる。また、上記デジタル放送受信装置１１は、ＨＤＤ１３を内蔵しており、受信した番組コンテンツをＨＤＤ１３のハードディスク１３ａにデジタル記録することができる。
【００１３】
ここで、デジタル放送受信装置１１は、詳細は後述するが、受信した番組コンテンツをＨＤＤ１２にデジタル記録させる場合、受信した番組コンテンツを自己のＨＤＤ１３のハードディスク１３ａに記録しながら、その記録した番組コンテンツをＨＤＤ１３からＨＤＤ１２に出力してデジタル記録（コピー）させるようにしている。
【００１４】
このように、デジタル放送受信装置１１が受信した番組コンテンツを、一旦自己のＨＤＤ１３を介してハードディスク１３ａに記録し、その記録した番組コンテンツをＨＤＤ１３からＨＤＤ１２に出力して記録させることにより、ＨＤＤ１２に入力されるデータは、デジタル放送受信装置１１のＨＤＤ１３が持つ記録再生機能の性能に応じた、一定水準の信頼性が確保されたものとなる。
【００１５】
すなわち、デジタル放送受信装置１１から出力されるデータの信頼性を一定の水準に収斂させてから、ＨＤＤ１２に出力している。このため、ＨＤＤ１３の情報記録の信頼性の方が外部接続されるＨＤＤ１２のそれよりも高いとする前提において、デジタル放送受信装置１１が受信した番組コンテンツを、直接、性能や機能等の異なる不特定多数のデジタル記録機器（この場合、ＨＤＤ１２）に出力して記録させる場合に比して、接続されたデジタル記録機器における情報記録の信頼性を向上させることが可能となる。
【００１６】
なお、上記の説明では、デジタル放送受信装置１１で受信した番組コンテンツを外付けのＨＤＤ１２に記録させることについて説明したが、これに限らず、デジタル放送受信装置１１が、例えばＤＶＤ（digital versatile disk）等の光ディスクやメモリカード等の記録メディアを内部に装着可能である場合には、受信した番組コンテンツをＨＤＤ１３に記録し、その記録された番組コンテンツをＨＤＤ１３から光ディスクやメモリカード等に出力して記録させることもできる。このようにすれば、受信した番組コンテンツを光ディスクやメモリカード等に記録する際の情報記録の信頼性を向上させることも可能となる。
【００１７】
図２は、上記したデジタル放送受信装置１１の主要な信号処理系を示している。すなわち、ＢＳ／ＣＳデジタル放送受信用のアンテナ１４で受信した衛星デジタル放送信号は、入力端子１５を介して衛星デジタル放送用のチューナ部１６に供給されることにより、所望のチャンネルの放送信号が選局される。
【００１８】
そして、このチューナ部１６で選局された放送信号は、ＰＳＫ（phase shift keying）復調器１７に供給されてＴＳ（transport stream）が復調される。このＴＳは、ＴＳ処理部１８に供給されてデジタルの映像信号及び音声信号等に復号化された後、信号処理部１９に出力される。
【００１９】
また、地上波放送受信用のアンテナ２０で受信した地上デジタルテレビジョン放送信号は、入力端子２１を介して地上デジタル放送用のチューナ部２２に供給されることにより、所望のチャンネルの放送信号が選局される。
【００２０】
そして、このチューナ部２２で選局された放送信号は、ＯＦＤＭ（orthogonal frequency division multiplexing）復調器２３に供給されてＴＳが復調される。このＴＳは、上記ＴＳ処理部１８に供給されてデジタルの映像信号及び音声信号に復号化された後、上記信号処理部１９に出力される。
【００２１】
また、上記地上波放送受信用のアンテナ２０で受信した地上アナログテレビジョン放送信号は、入力端子２１を介して地上アナログ放送用のチューナ部２４に供給されることにより、所望のチャンネルの放送信号が選局される。そして、このチューナ部２４で選局された放送信号は、アナログ復調器２５に供給されてアナログの映像信号及び音声信号に復調された後、上記信号処理部１９に出力される。
【００２２】
ここで、上記信号処理部１９は、ＴＳ処理部１８から供給されたデジタルの映像信号及び音声信号に対して所定のデジタル信号処理を施し、グラフィック処理部２６及び音声処理部２７に出力している。また、この信号処理部１９は、上記アナログ復調器２５から供給されたアナログの映像信号及び音声信号をデジタル化し、そのデジタル化された映像信号及び音声信号に対して所定のデジタル信号処理を施した後、グラフィック処理部２６及び音声処理部２７に出力している。
【００２３】
このうち、グラフィック処理部２６は、信号処理部１９から供給されるデジタルの映像信号に、ＯＳＤ（on screen display）信号生成部２８で生成されるＯＳＤ信号を重畳して出力する機能を有する。また、このグラフィック処理部２６は、信号処理部１９の出力映像信号と、ＯＳＤ信号生成部２８９の出力ＯＳＤ信号とを選択的に出力することや、両出力をそれぞれ画面の半分を構成するように組み合わせて出力することができる。
【００２４】
そして、グラフィック処理部２６から出力されたデジタルの映像信号は、映像処理部２９に供給される。この映像処理部２９は、入力されたデジタルの映像信号を、映像表示器３０で表示可能なフォーマットのアナログ映像信号に変換した後、映像表示器３０に出力して映像表示させるとともに、出力端子３１を介して外部に導出させる。
【００２５】
また、上記音声処理部２７は、入力されたデジタルの音声信号を、前記スピーカ３２で再生可能なフォーマットのアナログ音声信号に変換した後、スピーカ３２に出力して音声再生させるとともに、出力端子３３を介して外部に導出させる。
【００２６】
ここで、このデジタル放送受信装置１１は、上記した各種の受信動作を含むその全ての動作を制御部３４によって統括的に制御されている。この制御部３４は、ＣＰＵ（central processing unit）３４ａを内蔵しており、デジタル放送受信装置１１の本体に設置された操作部３５からの操作情報、または、リモートコントローラ３６から送出され受信部３７で受信した操作情報を受けて、その操作内容が反映されるように各部をそれぞれ制御している。
【００２７】
この場合、制御部３４は、メモリ部３４ｂを利用している。このメモリ部３４ｂは、主として、ＣＰＵ３４ａが実行する制御プログラムを格納したＲＯＭ（read only memory）と、該ＣＰＵ３４ａに作業エリアを提供するためのＲＡＭ（random access memory）と、各種の設定情報及び制御情報等が格納される不揮発性メモリとを有している。
【００２８】
また、この制御部３４には、上記ＨＤＤ１３が接続されている。この制御部３４は、ユーザによる操作部３５またはリモートコントローラ３６の操作またはＣＰＵ３４ａが実行する制御プログラムの指示に基づいて、上記ＴＳ処理部１８から得られるＭＰＥＧ（moving picture experts group）２−ＴＳのデジタル信号を、暗号化器・復号化器３８によって暗号化した後、ＨＤＤ１３に供給してハードディスク１３ａに記録させるように制御することができる。
【００２９】
さらに、この制御部３４は、ユーザによる操作部３５またはリモートコントローラ３６の操作またはＣＰＵ３４ａが実行する制御プログラムの指示に基づいて、上記アナログ復調器２５から得られるアナログの映像信号及び音声信号をエンコーダ３９によりＭＰＥＧ２−ＴＳに変換し、上記暗号化器・復号化器３８によって暗号化した後、ＨＤＤ１３に供給してハードディスク１３ａに記録させるように制御することができる。
【００３０】
また、この制御部３４は、ユーザによる操作部３５またはリモートコントローラ３６の操作またはＣＰＵ３４ａが実行する制御プログラムの指示に基づいて、ＨＤＤ１３によりハードディスク１３ａからＭＰＥＧ２−ＴＳを読み出させ、上記暗号化器・復号化器３８によって復号化した後、ＴＳ処理部１８に供給することによって、以後、上記した映像表示及び音声再生に供させるように制御することができる。
【００３１】
また、この制御部３４には、デジタル送受信部４０が接続されている。このデジタル送受信部４０は、ＵＳＢ規格に準拠したデジタルインターフェース機能を持つもので、入出力端子４１に接続された上記ＨＤＤ１２と制御部３４との相互間でのデータ通信を可能にしている。
【００３２】
これにより、この制御部３４は、デジタル送受信部４０及び入出力端子４１を介してＨＤＤ１２に制御信号を送信し、ＨＤＤ１２を記録状態や再生状態に制御することが可能となる。
【００３３】
このため、制御部３４は、ＨＤＤ１３によりハードディスク１３ａに記録されているコンテンツを読み出し、この読み出したコンテンツをデジタル送受信部４０及び入出力端子４１を介してＨＤＤ１２に送信して記録させることが可能となる。
【００３４】
また、制御部３４は、ＨＤＤ１２に記録されているコンテンツを再生させ、この再生されたコンテンツを入出力端子４１及びデジタル送受信部４０を介して入力し、映像表示や音声再生に供させたり、ＨＤＤ１３のハードディスク１３ａに記録させたりすることが可能となる。
【００３５】
この場合、デジタル放送受信装置１１が受信した番組コンテンツをＨＤＤ１３のハードディスク１３ａに記録する動作は、制御部３４の記録処理部３４ｃによって制御されている。また、ＨＤＤ１３とＨＤＤ１２との相互間でコンテンツを転送する動作は、制御部３４の移動処理部３４ｄによって制御されている。さらに、ＨＤＤ１３のハードディスク１３ａ及びＨＤＤ１２等からコンテンツを再生し、映像表示や音声再生に供させる動作は、制御部３４の再生処理部３４ｅによって制御されている。
【００３６】
上記のような構成となされた情報記録システムにおいて、以下、その動作を説明する。図３は、上記した情報記録システムにおいて、デジタル放送受信装置１１が受信した番組コンテンツを、デジタル放送受信装置１１の外部に接続されたＨＤＤ１２に記録させる処理動作をまとめたフローチャートを示している。
【００３７】
この処理は、例えば、ユーザによる操作部３５またはリモートコントローラ３６の操作や、予め設定された予約記録等に基づいて、デジタル放送受信装置１１が受信した番組コンテンツを、ＨＤＤ１２に記録させる処理が要求されたことにより、開始（ステップＳ１）される。
【００３８】
すると、制御部３４は、ステップＳ２で、デジタル放送受信装置１１が受信した番組コンテンツを、ＨＤＤ１３のハードディスク１３ａに記録する処理を開始する。その後、制御部３４は、ステップＳ３で、ＨＤＤ１３が、そのハードディスク１３ａに記録された番組コンテンツをＨＤＤ１２に記録するための準備が調ったか否かを判別する。
【００３９】
そして、準備が完了したと判断された場合（ＹＥＳ）、制御部３４は、ステップＳ４で、ＨＤＤ１３のハードディスク１３ａに記録した番組コンテンツをＨＤＤ１２に送信して記録させる、いわゆるコピー動作を開始する。
【００４０】
その後、制御部３４は、ステップＳ５で、ＨＤＤ１３からＨＤＤ１２へのコピー動作中に、回復不可能なエラーが発生したか否かを判別し、発生したと判断された場合（ＹＥＳ）、ステップＳ６で、コピー動作を中断し、デジタル放送受信装置１１が受信した番組コンテンツをＨＤＤ１３のハードディスク１３ａに記録する処理のみを、記録動作の停止が要求されるまで継続させて、処理を終了（ステップＳ１２）する。
【００４１】
この場合、回復不可能なエラーとは、ＨＤＤ１３からＨＤＤ１２への番組コンテンツのコピー中に、ＨＤＤ１２に番組コンテンツを記録し続けることができなくなるような状態が発生したことを意味しており、リトライによりＨＤＤ１３からＨＤＤ１２に番組コンテンツを記録し続けることができる状態は含まないものとする。
【００４２】
これにより、ＨＤＤ１３からＨＤＤ１２へのコピー動作が、回復不可能なエラーによって不可になった場合でも、ユーザが記録を要求した番組コンテンツは、ＨＤＤ１３のハードディスク１３ａに記録されて残ることになり、記録の失敗を防止することができる。
【００４３】
一方、上記ステップＳ５で回復不可能なエラーが発生していないと判断された場合（ＮＯ）、制御部３４は、ステップＳ７で、ユーザの操作や予約記録等に基づいて、番組コンテンツのＨＤＤ１２への記録の終了が要求されたか否かを判別し、要求されていないと判断された場合（ＮＯ）、ステップＳ５の処理に戻される。
【００４４】
また、上記ステップＳ７で記録の終了が要求されたと判断された場合（ＹＥＳ）、制御部３４は、受信した番組コンテンツをＨＤＤ１３のハードディスク１３ａに記録する処理を終了させた後、ステップＳ８で、ＨＤＤ１３からＨＤＤ１２へのコピー動作が完了したか否かを判別し、完了していないと判断された場合（ＮＯ）、ステップＳ５の処理に戻される。
【００４５】
さらに、上記ステップＳ８でコピー動作が完了したと判断された場合（ＹＥＳ）、制御部３４は、ステップＳ９で、先にＨＤＤ１３からＨＤＤ１２にコピーしていた番組コンテンツが、ユーザにより再生中であるか否かを判別する。すなわち、ＨＤＤ１３に記録された番組コンテンツは、ＨＤＤ１２へのコピー動作中であっても、ユーザの要求によりＨＤＤ１３のハードディスク１３ａ上から任意に再生し視聴することが可能である。このため、ＨＤＤ１３からＨＤＤ１２へのコピー動作が完了したとき、コピーしていた番組コンテンツがＨＤＤ１３から再生中であると判断された場合（ＹＥＳ）、制御部３４は、その番組コンテンツの再生を継続させるように制御する。
【００４６】
また、上記ステップＳ９でＨＤＤ１３からＨＤＤ１２にコピーしていた番組コンテンツがＨＤＤ１３から再生中でないと判断された場合（ＮＯ）、制御部３４は、ステップＳ１０で、先にＨＤＤ１３からＨＤＤ１２にコピーしていた番組コンテンツのＨＤＤ１３からの再生を禁止するとともに、ＨＤＤ１２にコピーされた当該番組コンテンツのＨＤＤ１２からの再生を許可する。
【００４７】
その後、制御部３４は、ステップＳ１１で、ＨＤＤ１２にコピーした番組コンテンツを、ＨＤＤ１３のハードディスク１３ａから削除して、処理を終了（ステップＳ１２）する。
【００４８】
ここで、上記ステップＳ４〜ステップＳ９の処理期間では、同じ番組コンテンツの一部または全部が、ＨＤＤ１３のハードディスク１３ａとＨＤＤ１２との両方に存在することになる。この場合、ＨＤＤ１３に記録された番組コンテンツは前述したように再生することができるが、ＨＤＤ１２に記録された番組コンテンツは再生することができないように制御している。そして、ステップＳ１０において、ＨＤＤ１２に記録された番組コンテンツは再生することができ、ＨＤＤ１３に記録された番組コンテンツは再生することができないように制御している。
【００４９】
これは、１度だけ記録を許可する、いわゆるコピーワンス等のコピー制限の付された番組コンテンツを受信し記録することを考慮したもので、番組コンテンツがＨＤＤ１３とＨＤＤ１２との両方から再生される状態を回避したものである。
【００５０】
具体的な手段としては、例えば、デジタル放送受信装置１１とＨＤＤ１２との間で伝送されるデータに、上記暗号化器・復号化器３８により暗号化処理を施してコンテンツ保護を図る際、番組コンテンツ毎に暗号鍵を変えることが可能である場合には、ステップＳ２においてＨＤＤ１３のコンテンツ鍵を有効にし、ステップＳ１０においてＨＤＤ１３のコンテンツ鍵を無効にするとともに、ＨＤＤ１２のコンテンツ鍵を有効にすることで実現される。
【００５１】
また、同じＨＤＤ１３，１２内では共通の暗号鍵を使用し、ＨＤＤ１３，１２毎に暗号鍵を変える場合には、ステップＳ２において、ＨＤＤ１２側の暗号鍵を使用してＨＤＤ１３に記録を開始するとともに、ＨＤＤ１３から記録中の番組コンテンツを再生する場合には、ＨＤＤ１２側の暗号鍵を使用して再生するものとする。ただし、ＨＤＤ１３からＨＤＤ１２側の暗号鍵を使用して記録中の番組コンテンツを再生することができるのは、ステップＳ４〜ステップＳ９の処理期間中のみとする。また、ステップＳ５にて回復不可能なエラーが発生したと判断された場合（ＹＥＳ）、番組コンテンツをＨＤＤ１２側の暗号鍵を使用して復号した上で、ＨＤＤ１３側の暗号鍵を使用して暗号化するものとする。
【００５２】
ここで、ＨＤＤ１２に対する番組コンテンツの記録状況は、ユーザの操作により、その時点の状況が図４に示すように映像表示部２７に表示される。すなわち、ステップＳ２でＨＤＤ１３に番組コンテンツの記録が開始されてから、ステップＳ７でＨＤＤ１３への番組コンテンツの記録が終了されるまでの期間、その番組コンテンツに対しては「記録中」のメッセージが表示される。
【００５３】
また、ステップＳ７でＨＤＤ１３への番組コンテンツの記録が終了されてから、ステップＳ１１でＨＤＤ１３からコピー済みの番組コンテンツが削除されるまでの期間、その番組コンテンツに対しては「後処理中」のメッセージが表示され、以後は、「記録済」のメッセージが表示される。
【００５４】
図４に示す表示例の場合、ＨＤＤ１２に４つの番組コンテンツ１〜４が記録され、番組コンテンツ１，２はＨＤＤ１２に完全に記録済みであり、番組コンテンツ３はＨＤＤ１３への記録中であり、番組コンテンツ４はＨＤＤ１３への記録が終了しＨＤＤ１３から削除されるまでの後処理中であることがわかる。
【００５５】
「記録中」と「後処理中」とを分けて表示したのは、ＨＤＤ１３への番組コンテンツの記録が終了した後、そのＨＤＤ１３には他の番組コンテンツが記録可能となるため、記録中も後処理中も含めて全て「記録中」と表示したのでは、２つの番組コンテンツが同時記録されているような認識をユーザに与えるため、これを防ぐためである。
【００５６】
また、ＨＤＤ１３への番組コンテンツの記録中で、かつ、その番組コンテンツがＨＤＤ１３からＨＤＤ１２にコピーされている状態において、制御部３４は、ＨＤＤ１３への番組コンテンツの記録処理が一定以上の転送レートを確保して実行することができるように制御している。
【００５７】
具体的には、ＨＤＤ１３に対する書き込み処理要求と読み出し処理要求とを、それぞれ一定時間で終了可能な単位に分割してリスト管理し、書き込み処理を優先して実行するように制御している。結果として、ＨＤＤ１３への番組コンテンツの記録処理が、ＨＤＤ１３からの番組コンテンツの読み出し処理よりも優先して行なわれる。
【００５８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５９】
【図１】この発明の実施の形態を示すもので、情報記録システムの概略を説明するために示すブロック構成図。
【図２】同実施の形態における情報記録システムを構成するデジタル放送受信装置の信号処理系を説明するために示すブロック構成図。
【図３】同実施の形態における情報記録システムを構成するデジタル放送受信装置の主要な処理動作を説明するために示すフローチャート。
【図４】同実施の形態における情報記録システムを構成するデジタル放送受信装置で行なわれる番組コンテンツの記録状況の表示例を説明するために示す図。
【符号の説明】
【００６０】
１１…デジタル放送受信装置、１２…ＨＤＤ、１２ａ…コントローラ、１３…ＨＤＤ、１３ａ…ハードディスク、１４…アンテナ、１５…入力端子、１６…チューナ部、１７…ＰＳＫ復調器、１８…ＴＳ処理部、１９…信号処理部、２０…アンテナ、２１…入力端子、２２…チューナ部、２３…ＯＦＤＭ復調器、２４…チューナ部、２５…アナログ復調器、２６…グラフィック処理部、２７…音声処理部、２８…ＯＳＤ信号生成部、２９…映像処理部、３０…映像表示器、３１…出力端子、３２…スピーカ、３３…出力端子、３４…制御部、３４ａ…ＣＰＵ、３４ｂ…メモリ部、３４ｃ…記録処理部、３４ｄ…移動処理部、３４ｅ…再生処理部、３５…操作部、３６…リモートコントローラ、３７…受信部、３８…暗号化器・復号化器、３９…エンコーダ、４０…デジタル送受信部、４１…入出力端子、５０…通信ケーブル。
【図１】
2009134829.tif 000003
【図２】
2009134829.tif 000004
【図３】
2009134829.tif 000005
【図４】
2009134829.tif 000006